(57)【要約】【課題】  違和感や圧迫痛など軽減し、長時間使用しても疲れない鎖骨固定具を安価に提供する。【解決手段】  中空な円筒パイプ形状を有するクッション部３３を有する固定ベルト３１，３２を肩から鎖骨の上を通り腋窩部を経由して背中側に引き出して、鎖骨を正常位に固定する。【選択図】  図１
2005137633.tif 000002
【特許請求の範囲】
【請求項１】
肩から鎖骨の上を通り腋窩部を経由して背中側に引き出される固定ベルトを備えた鎖骨固定具において、
上記固定ベルトは、クッション性を有する内部が中空な棒状体からなることを特徴としている鎖骨固定具。
【請求項２】
上記固定ベルトは、円筒パイプ形状を有するクッション部と、同クッション部内に挿通される芯材とを備えている請求項１に記載の鎖骨固定具。
【請求項３】
頭頸部の付け根部付近から脊椎に沿って下方に延在される背当て部をさらに含み、上記固定ベルトは、一端側が上記背当て部の上端側に接続され、他端側が上記背当て部の下端側に接続されている請求項１または２に記載の鎖骨固定具。
【請求項４】
上記背当て部と上記固定ベルトとの間には、上記固定ベルトの長さを調節するための調節手段が設けられている請求項１，２または３に記載の鎖骨固定具。
【発明の詳細な説明】
【技術分野】
【０００１】
本発明は、骨折などによって損傷した鎖骨を治癒するために用いられる鎖骨固定具であって、さらに詳しくいえば、使用時の違和感や圧迫痛などを軽減した鎖骨固定具に関する。
【背景技術】
【０００２】
鎖骨骨折など鎖骨に重度の損傷を負った場合、患部が治癒するまで鎖骨を常に正常な位置に保持しておく必要がある。そこで、例えば特許文献１に示すような鎖骨固定具が提供されている。
【０００３】
この鎖骨固定具は、脊椎に沿って延在された背当て部と、一端が背当て部の上端からＶ字状に延設された一対の固定ベルトと、背当て部の下端から胴回り方向に向かって延設されたウエストベルトとを備え、固定ベルトの先端（自由端）が肩から鎖骨の上を通り腋窩部（いわゆる、脇の下）を経由して背当て部の下端に接続するようになっている。
【０００４】
これによれば、固定ベルトが上半身にいわゆるタスキ掛けされたようになることで、両肩が後方（背面側）に向かって反り返り、胸を張ったような格好となり、鎖骨が正常位に保持されるようになっている。
【０００５】
このように従来のほとんどの鎖骨固定具は、固定ベルトを肩から腋窩部にかけてタスキ掛けしているため、腋窩部に特に負荷がかかりやすい。そこで、固定ベルトにはクッション性を有するクッションマットなどが設けられており、このクッションマットで圧迫を軽減するようにしている。
【０００６】
しかしながら、このような構成には次のような課題が残されていた。すなわち、今まで圧迫痛の軽減を図るためにはクッションマットの厚さを増したり、クッション性に富んだ材料を使用するなどの方法がよく用いられてきたが、クッションマットの厚さを増すと、負荷を面で捕らえる部分の圧迫痛は軽減できる反面、体積が増えた分、腋窩部などに対する食い込みが強くなり、その部分での圧迫痛が逆にひどくなる。
【０００７】
とりわけ、鎖骨は、人体の中で最も成長が遅く、かつ、治癒しにくい骨であり、必然的に他の骨に比べて治癒するまでの時間が長くなり、よって、鎖骨固定具には長時間使用しても疲れないという点が最重要項目の１つとして求められる。
【０００８】
また、クッションマットを増やせば増やしただけ材料コストがかかり、さらにその加工コストもかかることは否めない。
【０００９】
【特許文献１】特開平９−２９９３９１号公報
【発明の開示】
【発明が解決しようとする課題】
【００１０】
そこで、本発明は上述した課題を解決するためになされたものであっで、その目的は、違和感や圧迫痛など軽減し、長時間使用しても疲れない鎖骨固定具を安価に提供することにある。
【課題を解決するための手段】
【００１１】
上述した目的を達成するため、本発明は、以下に示すいくつかの特徴を備えている。すなわち、請求項１の発明は、肩から鎖骨の上を通り腋窩部を経由して背中側に引き出される固定ベルトを備えた鎖骨固定具において、上記固定ベルトは、クッション性を有する棒状体からなることを特徴としている。
【００１２】
請求項２の発明は、上記固定ベルトは、中空な円筒パイプ形状を有するクッション部と、同クッション部内に挿通される芯材とを備えていることを特徴としている。
【００１３】
請求項３の発明は、頭頸部の付け根部付近から脊椎に沿って下方に延在される背当て部をさらに含み、上記固定ベルトは、一端側が上記背当て部の上端側に接続され、他端側が上記背当て部の下端側に接続されていることを特徴としている。
【００１４】
請求項４の発明は、上記背当て部と上記固定ベルトとの間には、上記固定ベルトの長さを調節するための位置調節手段が設けられていることを特徴としている。
【発明の効果】
【００１５】
請求項１に記載の発明によれば、内部が中空な棒状体を用いることにより、腋窩部の最も安定した位置に固定ベルトを通すことができるとともに、最小体積で構築できるため、安価に生産することができる。
【００１６】
請求項２に記載の発明によれば、形状を円筒パイプ状としたことにより、肌に対する圧迫をより抑えることができるとともに、チューブ状のため体の凹凸に沿って部分的に変形し、負荷を効果的に逃がすことができる。
【００１７】
請求項３に記載の発明によれば、固定ベルトにかかった負荷を背当て部で受けることができる。請求項４に記載の発明によれば、使用者の体型や年齢、症状に応じて固定ベルトの長さを調節することにより、固定ベルトによる負荷を簡単に調節することができる。
【発明を実施するための最良の形態】
【００１８】
次に、本発明の実施形態について図面を参照しながら説明する。図１は、本発明の一実施形態に係る鎖骨固定具の正面図であり、図２は、その背面図である。この鎖骨固定具１は、人体の頭頸部の付け根部付近から頸椎に沿って下方に延在される背当て部２と、同背当て部２の上端から下端に掛けてループ状に形成された左右一対の固定ベルト３１，３２とを備えている。
【００１９】
図１および図２を参照して、背当て部２は、脊椎に沿って矩形状に形成された背面パッド２１と、背面パッド２１が中央に配置され、上端側が両肩に向かって延在された肩パッド２２とを備えており、それらが一体的に縫着されている。
【００２０】
背面パッド２１は、適度なクッション性および通気性を有する布材（例えばフェルト地やキルティング地など）からなり、この例では、２枚の布材を張り合わせてその周縁を縫着したものからなる。
【００２１】
背面パッド２１の内部には、矩形状のアルミ板からなる補強板２１１が脊椎に沿って設けられている。補強板２１１は、背面パッド２１の形状を支持するため適度な補形性を備えていればよく、鉄板や樹脂板など仕様に応じて、材質および形状は任意に変更可能である。
【００２２】
この実施形態において、背面パッド２１は、適度なクッション性を有する布材から構成されているが、例えば、スポンジなどのクッション材を布などでカバーしたものであってもよい。
【００２３】
また、吸湿性や速乾性を考慮して一部にメッシュ地を一部に使用してもよく、皮膚などに対するアレルギー反応を抑えるようにした加工が施されていてもよいし、これら各種改良も本発明に含まれる。
【００２４】
肩パッド２２は、背面パッド２１と同じく適度なクッション性および通気性を有する布材からなり、この例では２枚の布材を張り合わせて周縁を一体的に縫着したものからなる。肩パッド２２の背面中央（図２では紙面手前側）には、背面パッド２１が一体的に取り付けられている。
【００２５】
肩パッド２２は、上端側が両肩に向かって延在されたパッド本体２２１，２２１を有し、下端側が背面パッド２１の下端に向かって延在されたほぼＴ字状に形成されている。なお、この肩パッド２２においても、吸湿性や速乾性を考慮して一部にメッシュ地を一部に使用してもよく、皮膚などに対するアレルギー反応を抑えるようにした加工が施されていてもよい。
【００２６】
この実施形態において、背面パッド２１および肩パッド２２は、それ自体が適度なクッション性を備えているが、仕様に応じてはさらにクッション性を良くするため、着脱式のクッションパッドをさらに備えていてもよい。
【００２７】
背面パッド２１の下端側の両側面には、後述する調節手段としての調節ベルト４１，４２を支持するための、バックル２３，２３が設けられている。バックル２３，２３は、調節ベルト４１，４２が挿通される係止リング２３１，２３１と、同係止リング２３１，２３１を背面パッド側２１に保持するための保持部２３２，２３２とからなる。
【００２８】
調節ベルト４１，４２は、上記係止リング２３１，２３１に挿通されるベルト体からなり、この実施形態ではほぼ中央を境に半分がループ面４３とされ、残りの半分がフック面４４とされた面ファスナーからなる。
【００２９】
なお、この実施形態において、調節ベルト４１，４２は、面ファスナーからなるが、これ以外に固定ベルト３１，３２の位置を調節可能なものであれば適宜選択して使用できる。本発明において、調節ベルト４１，４２の調節手段は任意的事項である。
【００３０】
固定ベルト３１，３２は、上端が背面パッド２１の各パッド本体２２１，２２１の先端に固定され、他端が各調節ベルト４１，４２に固定されており、これにより、両腕が挿通可能なループが形成される。ここで、各固定ベルト３１，３２はともに左右対称な同一形状であり、以下においては、一方の固定ベルト３１を例にとって説明する。
【００３１】
図３に示すように、固定ベルト３１は、内部に挿通孔を有するチューブ状（円筒パイプ状）のクッション部３３と、同クッション部３３内に挿通され、実質的にパッド本体２２１と調節ベルト４１に固定される芯材３４とを備えている。
【００３２】
クッション部３３は、例えば発泡ポリウレタンなどのクッション性を有する素材からなり、この実施形態では、直径３０〜４０ｍｍ×長さ５０〜６０ｍｍのものが用いられている。クッション部３３の表面には、布などからなるカバー３３１が被せられており、この実施形態では、人体の皮膚に対して優しい素材が用いられている。なお、クッション部３３の直径および長さは仕様に応じて任意に変更可能である。
【００３３】
これによれば、クッション部３３が円筒チューブ状に形成されているため、腋窩部の最短ルートを通って背面側に引き出されることにより、腋窩部に不要な圧迫痛を与えること無く、また、クッション部３３が適度に変形することで、痛みを和らげる効果がある。
【００３４】
芯材３４は、所定長さのひも体からなり、この実施形態では一般的な木綿糸を寄り合わせたものからなる。芯材３４は、両端がそれぞれ肩パッド２１のパッド本体２２１と、調節ベルト４１に固定されている。
【００３５】
この実施形態において、芯材３４は木綿糸を寄り合わせた紐からなるが、例えばゴム糸などを一緒に縒り込んで伸縮性をもたせるようにしてもよい。また、クッション性を有する樹脂糸などをさらに編み込み、芯材３４自体にクッション製を付与するような工夫をしてもよい。
【００３６】
次に、図４および図５を参照して、この鎖骨固定具１の使用手順の一例について説明する。使用方法は至って簡単で、まず、調節ベルト４１，４２を係止リング２３１，２３１から取り外しておく。
【００３７】
次に、患者Ｈの背中の脊椎に沿って平行になるように背面パッド２をあてがう。背面パッド２を背中に押し当てたまま、一方の固定ベルト３１を肩５０から鎖骨部５１の上を通って腋窩部５２を通すとともに、その先端にある調節ベルト４１をバックル２３に係止する。
【００３８】
同様にして、他方の固定ベルト４２も肩５０から鎖骨部５１の上を通って腋窩部５２に通し、その先端の調節ベルト４２をバックル２３に係止する。これにより、図４に示すように、各固定ベルト４１，４２が患者Ｈの上半身にタスキ掛けされる。
【００３９】
この状態において、取付作業者は患者Ｈの上半身が正常位になる位置まで調節ベルト４１，４２を増し止めするなどして調節することで、鎖骨固定具１の取り付けが完了する。
【００４０】
これによれば、固定ベルト３１，３２は、肩４０から鎖骨部５１の上を経由して腋窩部５２を通って最短ルートで背面パッド２に引き出されるため、不要な圧迫痛を人体に与えることがない。また、円柱状のクッション部３３が適度に変形することでその負荷を緩衝することができる。
【図面の簡単な説明】
【００４１】
【図１】本発明の一実施形態に係る鎖骨固定具の正面図。
【図２】上記実施形態の鎖骨具の背面図。
【図３】固定ベルトの内部構造を模式的に示した断面図。
【図４】鎖骨固定具の使用状態を説明する説明図。
【図５】鎖骨固定具の使用状態を説明する説明図。
【符号の説明】
【００４２】
１  鎖骨固定具
２  背面パッド
３１，３２  固定ベルト
３３  クッション部
３４  芯材
４１，４２  調節ベルト
【図１】
2005137633.tif 000003
【図２】
2005137633.tif 000004
【図３】
2005137633.tif 000005
【図４】
2005137633.tif 000006
【図５】
2005137633.tif 000007